【手続補正書】
【提出日】平成21年8月4日(2009.8.4)
【手続補正１】
【補正対象書類名】特許請求の範囲
【補正対象項目名】全文
【補正方法】変更
【補正の内容】
【特許請求の範囲】
【請求項１】
通信ネットワークでの多層メディアアイテムへのアクセスを容易にするためのシステムであって、
各前記多層メディアの各層に別々のメディアチャネルとして独立にアクセスできるように多層メディアアイテムを格納するために構成されたネットワークアクセス可能メディアデータベースと、
通信ネットワークを介して前記メディアデータベースに接続するための少なくとも１つのサブスクライバアプリケーションと
を含み、前記少なくとも１つのサブスクライバアプリケーションは、前記多層メディアアイテムのそれぞれのチャネルへの独立アクセスを容易にするシステム。
【請求項２】
前記多層メディアアイテムの各層に関するそれぞれのサブスクライバのアクセス権および使用権を含む、サブスクライバの情報レコードを格納するのに使用可能なサブスクライバリスティングデータベースをさらに含む、請求項１に記載のシステム。
【請求項３】
前記サブスクライバアプリケーションはミキシングモジュールをさらに含み、前記ミキシングモジュールは、前記多層メディアアイテムの層をデジタルミキシングし、それに基づいてミキシングデジタル音声信号を表わすリミックスを出力するように構成される、請求項１に記載のシステム。
【請求項４】
前記ネットワークアクセス可能メディアデータベースは、ミキシングされたデジタル音声信号を受信し、それに基づき再構成されたチャネルを出力し、それらを多層メディアアイテムとして格納するために動作する再構成モジュールに接続されるように適応される、請求項１に記載のシステム。
【請求項５】
前記少なくとも１つのサブスクライバアプリケーションの１つは前記独立にアクセスされるチャネルのリミックスをアップロードするように構成され、前記リミックスは前記少なくとも１つのサブスクライバアプリケーションのグループによってアクセス可能である、請求項１に記載のシステム。
【請求項６】
リミックスは前記グループによって格付けされる、請求項５に記載のシステム。
【請求項７】
リミックスは、前記独立にアクセスされるチャネルを逐次時間単位で配置することによって作成される、請求項５に記載のシステム。
【請求項８】
前記サブスクライバアプリケーションは、グラフィックインタフェースを表示するように動作するデジタルディスプレイをさらに含み、前記グラフィックインタフェースは、前記サブスクライバが前記ミキシングモジュールを制御する能力を持つことを容易にするように動作する、請求項３に記載のシステム。
【請求項９】
前記サブスクライバアプリケーションは独立音源と通信するように動作し、前記ミキシングモジュールは、前記多層メディアアイテムの層を前記独立音源からのチャネルとミキシングするために動作する、請求項３に記載のシステム。
【請求項１０】
前記サブスクライバアプリケーションは、前記リミックスを前記メディアデータベースにアップロードするために使用可能であり、前記メディアデータベースは、前記アップロードされたリミックスを格納するために使用可能である、請求項３に記載のシステム。
【請求項１１】
各前記多層メディアアイテムの各層は音声ストリーム、音波、および映像ストリームからなる群から選択される、請求項１に記載のシステム。
【請求項１２】
前記サブスクライバアプリケーションはパーソナルコンピュータ、パーソナルデジタルアシスタント（ＰＤＡ）、およびセルラ電話からなる群から選択されるメンバによってホストされる、請求項１に記載のシステム。
【請求項１３】
複数の権利レコードを格納するために使用可能な層権利データベースをさらに含み、前記複数の権利レコードのそれぞれが前記多層メディアアイテムの多層メディアアイテムのそれぞれの層に関するアクセス権および使用権を含み、前記メディアデータベースは、それぞれのサブスクライバの情報に従って前記多層メディアアイテムへの前記サブスクライバアプリケーションのアクセスを容易にするように動作する、請求項１に記載のシステム。
【請求項１４】
前記層権利データベースは、デジタル権管理（ＤＲＭ）ユニットに接続されるように適応され、前記ＤＲＭユニットは前記アクセス権および使用権を行使するように適応される、請求項１３に記載のシステム。
【請求項１５】
複数の権利レコードを格納するために使用可能な層権利データベースをさらに含み、前記複数の権利レコードのそれぞれが前記多層メディアアイテムの多層メディアアイテムのそれぞれの層に関するアクセス権および使用権を含む、請求項１に記載のシステム。
【請求項１６】
前記使用権はレコーディング、固定、リスニング、再配布、ビューイング、または編集の全部または一部である、請求項１５に記載のシステム。
【請求項１７】
前記サブスクライバアプリケーションは、インディシアに従って前記メディアデータベースを検索するように動作する検索エンジンをさらに含む、請求項１に記載のシステム。
【請求項１８】
インターネットでの層化メディアアイテムへのアクセスを容易にするための遠隔販売システムであって、
遠隔サイトに位置する複数の顧客コンピュータを、層化メディアアイテムのデータベースに関連付けられる中央コンピュータに接続するための接続装置と、
顧客が前記層化メディアアイテムから各層に別々にアクセスすることを可能にするための管理装置と、
前記複数の顧客コンピュータの少なくとも１つの使用を通して各前記層化メディアアイテムに関するアクセスおよび使用ライセンスを購入するための購入装置と
を含む遠隔販売システム。
【請求項１９】
前記管理装置は、顧客がそれぞれのライセンスに従って前記層化メディアアイテムにアクセスし、それを使用することを可能にする、請求項１８に記載の遠隔販売システム。
【請求項２０】
ａ）複数の層化メディアファイルを収集するステップと、
ｂ）複数の潜在的顧客が前記複数の層化メディアファイルの少なくとも１つの各層に別々にアクセスする能力を持つことを容易にするステップと、
ｃ）前記アクセスに従って前記複数の潜在的顧客に借方記入するステップと
を含む層化メディアファイルに関する商業活動を行なう方法。
【請求項２１】
ｄ）前記アクセスに応じて少なくとも一人の著作権所有者に貸方記入するステップをさらに含み、前記貸方記入を、前記アクセスされた層化メディアファイルの前記少なくとも一人の著作権所有者の相対的所有持分に従って行なう、請求項２０に記載の方法。
【請求項２２】
前記ステップ（ｄ）の貸方記入を、システム運用者と前記少なくとも一人の著作権所有者との間のライセンス契約に従って行なう、請求項２１に記載の方法。
【請求項２３】
各層に別々のチャネルとして独立にアクセスできるように複数の多層メディアアイテムを含むメディアデータベースを提供するステップと、
前記メディアデータベースと通信することができる少なくとも１つのサブスクライバアプリケーションを提供するステップと、
それぞれのサブスクライバ入力に従って、前記多層メディアアイテムの少なくとも１つを前記サブスクライバアプリケーションの少なくとも１つに関連付けるステップと、
前記別々のチャネルを介して前記関連付けられた多層メディアアイテムの少なくとも１つの層への独立アクセスおよびそれらの使用を提供するステップと
を含む通信ネットワークを介してサブスクライバの多層メディアアイテムへのアクセスを容易にする方法。
【請求項２４】
前記サブスクライバアプリケーションによって、前記多層メディアアイテムのチャネル、前記多層メディアアイテムのチャネルのストリーム、および前記多層メディアアイテムのチャネルへのリンクのうちの少なくとも１つを受信するステップをさらに含む、請求項２３に記載の方法。
【請求項２５】
前記受信されたチャネルをデジタルミキシングし、それに基づいてミキシングされたデジタルメディア信号を表わすリミックスを出力するステップをさらに含む、請求項２３に記載の方法。